(57)【要約】【課題】原稿搬送経路の一部を原稿台側に開放する開閉部材の開閉を繰り返しても、開閉部材よりも原稿台側に位置している原稿押さえ部材に折れ曲がりを生じることのないようにし、原稿の画像情報に不要なノイズが発生したり、原稿が原稿台の上面から浮き上がることを防止し、原稿の画像情報を正確に読み取ることができるようにする。【解決手段】原稿押さえ部材１５において、一端部１５Ａを第１の開閉部材６の開放端６Ｂに固定し、他端部１５Ｂを原稿読取装置１の底面における右端部近傍に固定し、開閉部材６の回転軸６Ａに対向する部分を原稿読取装置１の底面に固定しない。第１の開閉部材６を回動させて原稿搬送経路Ｈ１の一部を開放すると、可撓性を有する原稿押さえ部材１５は、原稿読取装置１の底面に固定されている一端部１５Ａ及び他端部１５Ｂを除く部分が下方に垂れ下がり、折れ曲がりを生じることがない。【選択図】図３
2006139030.tif 000002
【特許請求の範囲】
【請求項１】
画像形成装置における原稿台の上面を開放する位置と閉塞する位置との間に変位自在に配置される原稿読取装置であって、
画像読取前の原稿が積載される原稿トレイと、画像読取後の原稿が積載される排出トレイと、前記原稿トレイから画像読取位置を経由して前記排出トレイに至る間に原稿が搬送される原稿搬送経路と、装置底面の一部を構成するととともに、前記原稿搬送経路の一部を前記原稿台側に露出させる位置と遮蔽する位置との間において前記原稿搬送経路における原稿搬送方向に直交する回転軸周りに前記原稿台における前記原稿搬送方向の一端部及び他端部に対向する一方の端部及び他方の端部をそれぞれ自由端及び基端として回転自在に支持された開閉部材と、前記原稿台の全面に対向する範囲に配設されるとともに、前記装置底面において少なくとも前記回転軸に対向する部分を除く部分に固定された可撓性を有するシート状の原稿押さえ部材と、を備えることを特徴とする原稿読取装置。
【請求項２】
前記原稿押さえ部材は、前記原稿搬送方向の両端部において前記装置底面に固定されることを特徴とする請求項１に記載の原稿読取装置。
【請求項３】
前記原稿押さえ部材は、前記開閉部材の前記自由端に対向する一端部、前記開閉部材の前記自由端及び前記基端を除く部分に対向する中間部、及び、他端部において前記装置底面に固定されることを特徴とする請求項１に記載の原稿読取装置。
【請求項４】
前記原稿押さえ部材は、前記開閉部材の前記自由端に対向する一端部、及び、前記開閉部材の前記自由端及び前記基端を除く部分に対向する中間部において前記装置底面に固定されるとともに、他端部において前記原稿搬送方向に平行な方向に移動自在にして前記装置底面に保持されることを特徴とする請求項１に記載の原稿読取装置。
【発明の詳細な説明】
【技術分野】
【０００１】
この発明は、原稿トレイに積載された原稿を原稿搬送経路内を原稿読取位置を経由して排出トレイに搬送する原稿読取装置に関する。
【背景技術】
【０００２】
複数のシート状の原稿を読み取る場合に原稿トレイに積載された原稿を原稿読取位置に自動的に搬送する原稿読取装置が、画像形成装置において広く用いられている。この場合、原稿読取位置に供給される原稿は、原稿トレイから原稿台までの間に形成される原稿搬送経路を通過する。
【０００３】
原稿読取装置では、可能な限り水平に近い方向から原稿台に原稿を供給し、かつ、原稿搬送装置の省スペース化を図るべく、横Ｕ字状に湾曲した原稿搬送経路が形成されることがある。この場合には、原稿搬送経路が湾曲部を含んで上下２段構成になるため、横Ｕ字状の原稿搬送経路における下側の部分で原稿が滞留した場合には、原稿搬送装置の天蓋を開いても、原稿搬送経路に滞留した原稿を取り除くことはできない。
【０００４】
このため、従来技術の中には、原稿台上で静止原稿を動かないように押さえる原稿押さえ部材を原稿搬送方向に平行な回動軸を中心に回動させて、この原稿押さえ部材の上部に形成された原稿搬送経路を開放するようにした装置があった（例えば、特許文献１参照。）。
【０００５】
ところが、従来の技術においては、原稿搬送経路上に位置する原稿を適正に取り除くためには、原稿押さえ部材を大きく移動させる必要がある。原稿押さえ部材の回動角度が小さいと、装置本体のリア側に滞留している原稿には手が届きにくくなり、原稿搬送路上の原稿を適正に取り除くことができないからである。
【０００６】
そこで、画像読取装置の底面において、原稿搬送経路における下側の部分に対向する範囲を原稿搬送方向に直交する方向の回転軸周りに開閉する開閉部材によって構成し、この開閉部材を回転させることにより、原稿搬送経路の一部を原稿搬送方向に直交する方向の全域にわたって一定の幅で開放することができるようにした装置が提案されている。
【特許文献１】特開平１１−５６５９号公報
【発明の開示】
【発明が解決しようとする課題】
【０００７】
しかしながら、装置底面には、原稿を原稿台の上面に押さえ付けるための原稿押さえ部材が、原稿台の全面に対向する範囲に配置されている。この原稿押さえ部材は、可撓性を有する白色のシート体であり、原稿搬送経路を開閉する開閉部材よりも原稿台側に位置している。この原稿押さえ部材の全面を装置底面に固定すると、原稿押さえ部材において開閉部材の回転軸に対向する部分が折れ曲がり、開閉部材の開閉が繰り返されるとこの部分において原稿台上に載置された原稿上面に密着しなくなる。これによって、原稿に照射された読取光が外部に漏れ、原稿台上に載置された原稿から読み取った画像情報に、原稿の画像にはない黒筋等の不要なノイズが発生する。また、原稿の一部が原稿台の上面から浮き上がる。これらによって、画像情報を正確に読み取ることができなくなる問題がある。
【０００８】
この発明の目的は、原稿搬送経路の一部を原稿台側に開放する開閉部材の開閉を繰り返しても、開閉部材よりも原稿台側に位置している原稿押さえ部材に折れ曲がりを生じることのないようにし、原稿の画像情報に不要なノイズが発生したり、原稿が原稿台の上面から浮き上がることを防止し、原稿の画像情報を正確に読み取ることができる原稿読取装置を提供することにある。
【課題を解決するための手段】
【０００９】
この発明は以下の構成を備えている。
【００１０】
（１）画像形成装置における原稿台の上面を開放する位置と閉塞する位置との間に変位自在に配置される原稿読取装置であって、
画像読取前の原稿が積載される原稿トレイと、画像読取後の原稿が積載される排出トレイと、前記原稿トレイから画像読取位置を経由して前記排出トレイに至る間に原稿が搬送される原稿搬送経路と、装置底面の一部を構成するととともに、前記原稿搬送経路の一部を前記原稿台側に露出させる位置と遮蔽する位置との間において前記原稿搬送経路における原稿搬送方向に直交する回転軸周りに前記原稿台における前記原稿搬送方向の一端部及び他端部に対向する一方の端部及び他方の端部をそれぞれ自由端及び基端として回転自在に支持された開閉部材と、前記原稿台の全面に対向する範囲に配設されるとともに、前記装置底面において少なくとも前記回転軸に対向する部分を除く部分に固定された可撓性を有するシート状の原稿押さえ部材と、を備えることを特徴とする。
【００１１】
この構成においては、装置底面の一部を構成する開閉部材が、原稿搬送方向に直交する回転軸周りに原稿搬送経路の一部を原稿台側に露出させる位置と遮蔽する位置との間において回転自在にされているとともに、原稿台の全面に対向する可撓性を有するシート状の原稿押さえ部材が、装置底面において開閉部材の回転軸に対向する部分を除く部分に固定されている。したがって、開閉部材を回転させて原稿搬送経路の一部を原稿台側に露出させた際に、原稿押さえ部材の回転軸に対向する部分の近傍が折れ曲がることがない。これによって、原稿に照射された読取光が外部に漏れることがなく、原稿の一部が原稿台の上面から浮き上がることがない。
【００１２】
（２）前記原稿押さえ部材は、前記原稿搬送方向の両端部において前記装置底面に固定されることを特徴とする。
【００１３】
この構成においては、原稿押さえ部材において、開閉部材の回転軸に対向する部分を除き、かつ原稿搬送方向の両端部を含む部分が、装置底面に固定される。したがって、原稿搬送経路の一部を開放するように開閉部材を回転させると、原稿押さえ部材は開閉部材の回転軸に対向する部分を含み、かつ原稿搬送方向の両端部を除く部分が、装置底面から離間し、原稿押さえ部材が開閉部材の回転軸に対向する部分の近傍で折れ曲がることがない。
【００１４】
（３）前記原稿押さえ部材は、前記開閉部材の前記自由端に対向する一端部、前記開閉部材の前記自由端及び前記基端を除く部分に対向する中間部、及び、他端部において前記装置底面に固定されることを特徴とする。
【００１５】
この構成においては、原稿押さえ部材の両端部及び中間部が、装置底面における開閉部材の自由端、及び、開閉部材の自由端及び基端を除く部分を含む部分に固定される。したがって、原稿搬送経路の一部を開放するように開閉部材を回転させると、原稿押さえ部材は開閉部材の回転軸に対向する部分を含み、かつ原稿搬送方向の両端部を除く部分が、装置底面から離間し、原稿押さえ部材が開閉部材の回転軸に対向する部分の近傍で折れ曲がることがない。このとき、原稿押さえ部材の中間部は装置底面から離間せず、原稿押さえ部材が原稿台に向って大きく垂れ下がることがないため、装置底面と原稿押さえ部材との間に不必要に大きな空間が形成されることがない。
【００１６】
（４）前記原稿押さえ部材は、前記開閉部材の前記自由端に対向する一端部、及び、前記開閉部材の前記自由端及び前記基端を除く部分に対向する中間部において前記装置底面に固定されるとともに、他端部において前記装置底面に平行な方向に移動自在にして前記装置底面に保持されることを特徴とする。
【００１７】
この構成においては、原稿押さえ部材の一端部及び中間部が装置底面の開閉部材における基端を除く部分に固定されるとともに、他端部が装置底面に平行な方向に移動自在に保持される。したがって、原稿搬送経路の一部を開放するように開閉部材を回転させると、一端部から中間部までの部分が装置底面から離間し、開閉部材の回転軸に対向する部分を含む中間部から他端部までの部分は装置底面から離間しない。このため、原稿押さえ部材が原稿台に向って大きく垂れ下がることがなく、装置底面と原稿押さえ部材との間に不必要に大きな空間が形成されることがない。
【発明の効果】
【００１８】
この発明によれば、以下の効果を奏することができる。
【００１９】
（１）開閉部材を回転させて原稿搬送経路の一部を原稿台側に露出させた際に、原稿押さえ部材の回転軸に対向する部分の近傍が折れ曲がることを防止できる。これによって、原稿に照射された読取光が原稿押さえ部材と原稿又は原稿台との間から外部に漏れることがなく、原稿の画像情報における不要なノイズの発生、及び、原稿が原稿台の上面から浮き上がることを防止し、原稿の画像情報を正確に読み取ることができる。
【００２０】
（２）原稿搬送経路の一部を開放するように開閉部材が回転した際に、原稿押さえ部材における開閉部材の回転軸に対向する部分を含み、かつ原稿搬送方向の両端部を除く部分を装置底面から離間させることができる。これによって、原稿押さえ部材の一部が折れ曲がることを防止できる。
【００２１】
（３）原稿搬送経路の一部を開放するように開閉部材が回転した際に、原稿押さえ部材における開閉部材の回転軸に対向する部分を含み、かつ原稿搬送方向の中間部及び両端部を除く部分を、装置底面から離間させることができる。これによって、装置底面と原稿押さえ部材との間に不必要に大きな空間が形成されることを防止することができ、装置底面と原稿押さえ部材との間への異物の進入を防止できる。
【００２２】
（４）原稿搬送経路の一部を開放するように開閉部材が回転した際に、一端部から中間部までの部分を装置底面から離間させる一方、開閉部材の回転軸に対向する部分を含む中間部から他端部までの部分が装置底面から離間しないようにすることができる。これによって、装置底面と原稿押さえ部材との間に不必要に大きな空間が形成されることを防止することができ、装置底面と原稿押さえ部材との間への異物の進入を防止できる。
【発明を実施するための最良の形態】
【００２３】
以下に、この発明の最良の実施形態に係る原稿読取装置を、図面を参照しつつ詳細に説明する。
【００２４】
図１は、この発明の実施形態に係る原稿読取装置を備えた画像形成装置の構成を示す図である。画像形成装置１００は、この発明の原稿読取装置１を備えた画像読取部１１０、画像形成部２１０及び給紙部２５０からなり、後処理装置２６０及び多段給紙ユニット２７０を備えている。画像読取部１１０の詳細については、後述する。
【００２５】
画像読取部１１０で原稿から読み取られた画像データは、画像形成部２１０に送られる。画像データは、画像形成部２１０の画像処理部において所定の画像処理が施された後、画像処理部のメモリに一旦記憶され、出力指示に応じてメモリから読み出されてレーザ書込みユニット２２７に転送される。
【００２６】
画像形成部２１０は、回転自在に支持された感光体ドラム２２２の周囲に、感光体ドラム２２２の表面を所定の電位に帯電させる帯電器２２３、感光体ドラム２２２の表面に画像データによって変調されたレーザ光を照射して静電潜像を形成するレーザ書込みユニット２２７、感光体ドラム２２２の表面に形成された静電潜像にトナーを供給してトナー像に顕像化する現像器２２４、感光体ドラム２２２の表面に担持されたトナー像を用紙上に転写する転写器２２５、感光体ドラム２２２の表面から用紙を剥離する剥離器２２９、及び、余分なトナーを回収するクリーナ２２６を備えている。
【００２７】
なお、レーザ書込みユニット２２７に代えて、ＬＥＤやＥＬ等の発光素子アレイを用いた固体走査型の光書込みヘッドユニットを用いることもできる。
【００２８】
画像形成部２１０の下方には、給紙部２５０が配置されている。給紙部２５０は、用紙トレイ２５１、手差トレイ２５４及び両面ユニット２５５と、多段給紙ユニット２７０に備えられた給紙トレイ２５２及び２５３と、を備えている。また、給紙部２５０には、これらのトレイ２５１〜２５４に収納されている用紙を画像形成部２１０の感光体ドラム２２２と転写器２２５との間を経由して排紙トレイ２１９に搬送する用紙搬送路が形成されている。
【００２９】
両面ユニット２５５は、用紙の前後を反転させるスイッチバック路２２１に通じており、用紙の両面に画像形成を行う時に用いられる。両面ユニット２５５は、通常の用紙トレイと交換可能にされている。また、用紙を数千枚収納可能な大容量給紙ユニットを装着することもできる。
【００３０】
画像形成部２１０の排出側には、トナー像が転写された用紙を加熱及び加圧して用紙上に画像を定着させる定着ユニット２１７、用紙の裏面に再度画像を形成するために用紙の前後を反転させるスイッチバック路２２１、画像が形成された用紙に対してステープル処理等を行う昇降トレイ２６１を有する後処理装置２６０が配置されている。定着ユニット２１７によって画像が定着された用紙は、必要に応じてスイッチバック路２２１を経て排紙ローラ２１９にて後処理装置２６０へと導かれ、ここで所定の後処理が施された後、昇降トレイ２６１に排出される。
【００３１】
画像読取部１１０は、ＣＣＤ（Charge Coupled Device ）読取ユニット１１を備え、この発明の原稿台である第１原稿台１２上に載置されて平面支持された原稿の画像を、光源ユニット１３及びミラーユニット１４によって固定位置に設けられたＣＣＤ読取ユニット１１に結像して読取処理を行う。ＣＣＤ読取ユニット１１は、結像レンズおよびこの発明の画像読取素子であるＣＣＤイメージセンサを備える。
【００３２】
光源ユニット１３は、照明光を照射する光源、光源からの照明光を第１原稿台１２上の所定の読取位置に集光するレフレクタ、原稿からの反射光のみを通過させるスリット、及び、スリットを通過した反射光の光路を９０度偏向するミラーを搭載している。ミラーユニット１４は、光源ユニット１３からの反射光の光路を１８０度偏向する一対のミラーを搭載している。
【００３３】
静止読取モード時に、光源ユニット１３は速度Ｖで、ミラーユニット１４は速度Ｖ／２で、第１原稿台１２の下面において副走査方向に往復移動し、第１原稿台１２上の原稿の画像面の全面における反射光を光路長を一定に維持してＣＣＤ読取ユニット１１に導く。
【００３４】
ＣＣＤ読取ユニット１１は、静止読取モード時に、ＣＣＤイメージセンサ、結像レンズ及び光源を搭載した縮小読取光学系又は等倍読取光学系のユニットを速度Ｖで、第１原稿台１２の下面において副走査方向に往復移動する構造であってもよい。
【００３５】
画像読取部１１０には、第１原稿台１２から副走査方向に所定距離だけ離間して第２原稿台１６が設けられている。原稿読取装置１を用いた搬送読取モード時には、光源ユニット１３は、第２原稿台１６に対向する第１画像読取位置Ｐ１に停止する。
【００３６】
図２は、この発明の実施形態に係る原稿読取装置の構成を示す断面図である。原稿読取装置１は、画像読取部１１０の上方において、第１原稿台１２及び第２原稿台１６の上面を開閉自在にして配置されている。
【００３７】
原稿読取装置１は、複数枚原稿が積載される原稿トレイ２、画像情報の読取済の原稿が積層して排出される排出トレイ３を備えている。原稿トレイ２から第１画像読取位置Ｐ１及び第２画像読取位置Ｐ２を経由して排出トレイ３に至る間には、ピックアップローラ４、給送ローラ５Ａ、捌きローラ５Ｂ及びローラＲ１〜Ｒ６を備えた略Ｃ字状を呈する原稿搬送経路Ｈ１が形成されている。
【００３８】
ローラＲ１，Ｒ２，Ｒ４及びＲ５は、原稿搬送経路Ｈ１内において原稿を所定速度で搬送するための搬送ローラである。ローラＲ３は、画像読取位置Ｐ１及びＰ２における画像情報の読取タイミングに同期して回転を開始するレジストレーションローラである。読取タイミングに先立って原稿トレイ２から搬送された原稿は、前端部を停止中のレジストレーションローラＲ３に当接させて斜行を矯正された後、回転を開始したレジストレーションローラＲ３によって所定の読取タイミングで画像読取位置Ｐ１及びＰ２に搬送される。ローラＲ６は、画像情報の読取処理を完了した原稿を排出トレイ３に排出する排出ローラである。
【００３９】
原稿搬送経路Ｈ１において、画像形成装置１００に設けられた第２原稿台１６に対向する第１画像読取位置Ｐ１には、第２原稿台１６との間に所定の間隙を設けてプラテン１０が配置されている。原稿が第２原稿台１６とプラテン１０との間の第１画像読取位置Ｐ１を通過する時に、画像形成装置１００の画像読取部１１０に備えられたＣＣＤ読取ユニット１１によって原稿の表面からの画像情報の読取が行われる。
【００４０】
原稿搬送経路Ｈ１において、第１画像読取位置Ｐ１の下流側に位置する第２画像読取位置Ｐ２（この発明の画像読取位置である。）の上面側にはプラテンガラス２１が配置されている。また、原稿読取装置１の内部において原稿搬送経路Ｈ１に包囲された部分には、この発明の画像読取素子であるＣＣＤ８がミラー２２〜２２及びレンズ２６とともに配置されている。ＣＣＤ８は、ミラー２２〜２５、レンズ２６及びプラテンガラス２１を介して第２画像読取位置Ｐ２に対向している。原稿が第２原稿台１６とプラテン１０との間の第２画像読取位置Ｐ２を通過する時に、ＣＣＤ８によって原稿の裏面からの画像情報の読取が行われる。
【００４１】
原稿の片面のみから画像情報を読み取る片面原稿読取時には、原稿トレイ２に載置された原稿の最上面に当接したピックアップローラ４の回転によって繰り出された原稿が、給送ローラ５Ａの回転によって原稿搬送経路Ｈ１内に導かれる。このとき、給送ローラ５Ａと同方向に回転する捌きローラ５Ｂにより、最上部に位置する原稿以外の原稿が原稿トレイ２内に戻され、最上部に位置する１枚の原稿のみが原稿搬送経路Ｈ１内に送り出される。
【００４２】
原稿トレイ２から送り出された原稿は、搬送ローラＲ１及びＲ２の回転によって原稿搬送経路Ｈ１内を搬送され、レジストレーションローラＲ３の回転によって所定のタイミングで第１画像読取位置Ｐ１に向かって搬送される。原稿は、第１画像読取位置Ｐ１を通過する間に、第１画像読取位置Ｐ１の下方に停止している光源ユニット１３を含む画像読取部１１０のＣＣＤ読取ユニット１１によって表面の画像情報が読み取られる。表面の画像情報が読み取られた原稿は、搬送ローラＲ４，Ｒ５及び排出ローラＲ６の回転により、排出トレイ３に排出される。
【００４３】
原稿の両面から画像情報を読み取る両面原稿読取時には、片面原稿読取時と同様にして原稿搬送経路Ｈ１内に送り出された１枚の原稿は、第１画像読取位置Ｐ１での表面の画像情報の読取処理が終了した後、搬送ローラＲ４及びＲ５を介して第２画像読取位置Ｐ２に導かれ、第２画像読取位置Ｐ２を通過する時に、ＣＣＤ８によって裏面の画像情報の読取を受ける。両面からの画像情報の読取が完了した原稿は、排出ローラＲ６の回転により、排出トレイ３に排出される。
【００４４】
原稿搬送経路Ｈ１の外側は、外装パネル２０によって被覆されている。この外装パネル２０のうち、原稿搬送経路Ｈ１の上面側及び左側面側に対向する部分は、カバー９によって構成されている。カバー９は、左側面の下端部をヒンジとして開閉自在にされている。カバー２には、原稿搬送経路Ｈ１の上面側及び左側面側における外側に配置される略Ｌ字型の搬送ガイド３１が一体的に固定されている。
【００４５】
原稿読取装置１の底面を形成する外装パネル２０のうち、原稿搬送経路Ｈ１の下面側に対向する部分は、第１の開閉部材６によって構成されている。第１の開閉部材６は、回転軸６Ａにおいて原稿搬送方向に直交する軸周りに原稿読取装置１の下方（第１原稿台１２側）に向けて開閉自在に支持されている。原稿読取装置１の内部において、第１の開閉部材６の内側には、第２の開閉部材７が配置されている。第２の開閉部材７は、回転軸７Ａにおいて原稿搬送方向に直交する軸周りに原稿読取装置１の下方に向けて開閉自在に支持されている。
【００４６】
原稿読取装置１の底面において、少なくとも画像形成装置１００の第１原稿台１２の全面に対向する範囲には、可撓性を有するシート体の原稿押さえ部材１５が配置されている。原稿押さえ部材１５は、外力の作用により容易に弾性変形する程度の弾性力を備え、原稿に接触する白色シート及びウレタン等の発泡材を用いたクッションマットを含む。原稿押さえ部材１５は、第１原稿台１２に載置された原稿を上方から押圧し、第１原稿台１２の上面に密着させる。
【００４７】
図３は、この発明の第１の実施形態に係る原稿読取装置における開閉部材の開放状態を示す断面図である。原稿読取装置１の底面の一部を構成する第１の開閉部材６を、図中右側端の基端６Ｃ側の回転軸６Ａを中心にして、図中左端部の開放端６Ｂを図示しない第１原稿台１２に向けて回動させると、第２の開閉部材７も、図中右側端の基端７Ｃ側の回転軸７Ａを中心にして、図中左端部の開放端７Ｂが図示しない第１原稿台１２に向けて回動する。これによって、原稿搬送経路Ｈ１における画像読取位置Ｐ１から画像読取位置Ｐ２を経由して排出ローラＲ６の配置位置近傍までの間が、原稿読取装置１の下側に開放される。これによって、原稿搬送経路Ｈ１中に停止した用紙が、容易に取り出される。
【００４８】
原稿押さえ部材１５は、一端部１５Ａが第１の開閉部材６の開放端６Ｂに固定されおり、他端部１５Ｂが原稿読取装置１の底面における右端部近傍に固定されている。原稿押さえ部材１５は、開閉部材６の回転軸６Ａに対向する部分においては、原稿読取装置１の底面には固定されていない。
【００４９】
このため、第１の開閉部材６を回動させて原稿搬送経路Ｈ１の一部を開放すると、可撓性を有する原稿押さえ部材１５は、原稿読取装置１の底面に固定されている一端部１５Ａ及び他端部１５Ｂを除く部分が下方に垂れ下がる。したがって、第１の開閉部材６の開閉を繰り返しても、原稿押さえ部材１の一部、特に第１の開閉部材６の回転軸６Ａに対向する部分に折れ曲がりを生じることがない。
【００５０】
これによって、原稿に照射された読取光が原稿押さえ部材１５と第１の原稿台１２又は第１の原稿台１２上の原稿との間から外部に漏れることがなく、原稿の画像情報における不要なノイズの発生、及び、原稿が第１の原稿台１２の上面から浮き上がることを防止して、原稿の画像情報を正確に読み取ることができる。
【００５１】
図４は、この発明の第２の実施形態に係る原稿読取装置における開閉部材の開放状態を示す断面図である。この実施形態に係る原稿読取装置１では、原稿押さえ部材１５は、一端部１５Ａが第１の開閉部材６の開放端６Ｂに固定されおり、中間部１５Ｃが第１の開閉部材６の開放端６Ｂ及び基端６Ｃを除く部分に固定されており、他端部１５Ｂが原稿読取装置１の底面における右端部近傍に固定されている。原稿押さえ部材１５は、開閉部材６の回転軸である回転軸６Ａに対向する部分においては、原稿読取装置１の底面には固定されていない。
【００５２】
このため、第１の開閉部材６を回動させて原稿搬送経路Ｈ１の一部を開放すると、可撓性を有する原稿押さえ部材１５は、原稿読取装置１の底面に固定されていない中央部１５Ｃから他端部１５Ｂに達するまでの部分が、比較的小さい範囲で下方に垂れ下がる。したがって、第１の開閉部材６の開閉を繰り返しても、原稿押さえ部材１の一部、特に第１の開閉部材６の回転軸６Ａに対向する部分に折れ曲がりを生じることがないだけでなく、原稿読取装置１の底面と原稿押さえ部材１５との間に大きな空間が形成されることがないため、異物が原稿読取装置１の底面と原稿押さえ部材１５との間に挟まることがない。
【００５３】
図５は、この発明の第３の実施形態に係る原稿読取装置における開閉部材の開放状態を示す断面図である。この実施形態に係る原稿読取装置１では、原稿押さえ部材１５は、一端部１５Ａが第１の開閉部材６の開放端６Ｂに固定されおり、中間部１５Ｃが第１の開閉部材６の開放端６Ｂ及び基端６Ｃを除く部分に固定されており、他端部１５Ｂが原稿読取装置１の底面における右端部近傍において、原稿読取装置１の底面に平行な方向に移動自在に保持されている。原稿押さえ部材１５は、開閉部材６の回転軸である回転軸６Ａに対向する部分においては、原稿読取装置１の底面には固定されていない。
【００５４】
なお、原稿読取装置１の底面における右端部近傍における原稿押さえ部材１５の他端部１５Ｂの保持は、例えば、下端にフランジ部を形成したピンを原稿読取装置１の底面から下方に延出させ、原稿押さえ部材１５の他端部１５Ｂに上面に開放したスリットを左右方向に形成し、このスリットにピンのフランジ部を係合させることにより行う。
【００５５】
このため、第１の開閉部材６を回動させて原稿搬送経路Ｈ１の一部を開放すると、可撓性を有する原稿押さえ部材１５は、原稿読取装置１の底面に固定されていない中央部１５Ｃから他端部１５Ｂを含む部分が、下方に垂れ下がることなく原稿読取装置１の底面に平行な方向に移動する。したがって、第１の開閉部材６の開閉を繰り返しても、原稿押さえ部材１の一部、特に第１の開閉部材６の回転軸６Ａに対向する部分に折れ曲がりを生じることがないだけでなく、原稿読取装置１の底面と原稿押さえ部材１５との間に全く空間が形成されることがないため、異物が原稿読取装置１の底面と原稿押さえ部材１５との間に挟まることを完全に防止される。
【００５６】
以上の構成は一例であり、原稿押さえ部材１５の少なくとも第１の開閉部材６の回転軸６Ａに対向する部分を、原稿読取装置１の底面に固定しないことを条件に、上記の構成以外の構成を用いることができる。
【図面の簡単な説明】
【００５７】
【図１】この発明の実施形態に係る原稿読取装置を備えた画像形成装置の構成を示す図である。
【図２】この発明の実施形態に係る原稿読取装置の構成を示す断面図である。
【図３】この発明の第１の実施形態に係る原稿読取装置における開閉部材の開放状態を示す断面図である。
【図４】この発明の第２の実施形態に係る原稿読取装置における開閉部材の開放状態を示す断面図である。
【図５】この発明の第３の実施形態に係る原稿読取装置における開閉部材の開放状態を示す断面図である。
【符号の説明】
【００５８】
１  原稿読取装置
６  第１の開閉部材
６Ａ  回転軸
６Ｂ  開放端
６Ｃ  基端
７  第２の開閉部材
１２  第１原稿台
１５  原稿押さえ部材
１５Ａ  一端部
１５Ｂ  他端部
１５Ｃ  中間部
Ｈ１  原稿搬送経路
１００  画像形成装置
【図１】
2006139030.tif 000003
【図２】
2006139030.tif 000004
【図３】
2006139030.tif 000005
【図４】
2006139030.tif 000006
【図５】
2006139030.tif 000007